(57)【要約】【課題】搬送ファン２と搬送ベルト３８とを有する搬送装置１から、定着装置２０へ記録材を搬送する際の搬送不良の誤判断を低減する。【解決手段】搬送ファン２と搬送ベルト３８とを備え、搬送ファン２により記録材を吸引しつつ、搬送ベルト３８にて記録材を搬送する搬送装置１と、記録材の搬送方向における搬送装置１の下流側に設置され、未定着トナー像を記録材に定着させる定着装置２０と、記録材の搬送方向における定着装置２０の下流側に設置され、記録材の有無を検知することで、搬送不良の発生を検知するジャムセンサ７と、を備えた画像形成装置において、ジャムセンサ７による搬送不良の発生を検知するための、基準となるタイミングからの検知時間について、記録材が薄紙４であるときの検知時間を検知時間Ａ、記録材が厚紙５であるときの検知時間を検知時間Ｂとしたとき、検知時間Ａ＜検知時間Ｂとする制御手段３５と、を備える。【選択図】図２
2017021154.tif 000002
【特許請求の範囲】
【請求項１】
搬送ファンと搬送ベルトとを備え、前記搬送ファンにより記録材を吸引しつつ、前記搬送ベルトにて前記記録材を搬送する搬送手段と、
前記記録材の搬送方向における前記搬送手段の下流側に設置され、未定着トナー像を前記記録材に定着させる定着手段と、
前記記録材の搬送方向における前記定着手段の下流側に設置され、前記記録材の有無を検知することで、搬送不良の発生を検知する搬送不良検出手段と、を備えた画像形成装置において、
前記搬送不良検出手段による搬送不良の発生を検知するための、基準となるタイミングからの検知時間について、前記記録材が薄紙であるときの検知時間を検知時間Ａ、前記記録材が厚紙であるときの検知時間を検知時間Ｂとしたとき、検知時間Ａ＜検知時間Ｂとする制御手段と、を備えることを特徴とする画像形成装置。
【請求項２】
前記制御手段は、
前記搬送不良検出手段による搬送不良の発生を検知するための、基準となるタイミングからの検知時間について、前記記録材がハガキサイズまたは封筒サイズであるときの検知時間を検知時間Ｃとしたとき、検知時間Ａ＜検知時間Ｃとすることを特徴とする請求項１に記載の画像形成装置。
【請求項３】
前記制御手段は、
前記搬送不良検出手段による搬送不良の発生を検知するための、基準となるタイミングからの検知時間について、前記記録材がコート紙または白板紙であるときの検知時間も、前記検知時間Ｂとすることを特徴とする請求項１または２に記載の画像形成装置。
【請求項４】
前記制御手段は、
前記搬送不良検出手段による搬送不良の発生を検知するための、基準となるタイミングからの検知時間について、前記記録材が普通紙であるときの検知時間を検知時間Ｄとしたとき、検知時間Ａ＜検知時間Ｄ＜検知時間Ｂとすることを特徴とする請求項１から３までのいずれかに記載の画像形成装置。
【請求項５】
坪量５２．３ｇｓｍ〜３５０ｇｓｍまでの前記記録材を通紙することを特徴とする請求項１から４までのいずれかに記載の画像形成装置。
【請求項６】
前記薄紙は、坪量５２．３〜７９．１ｇｓｍであることを特徴とする請求項１から５までのいずれかに記載の画像形成装置。
【請求項７】
前記厚紙は、坪量２５６ｇｓｍ以上であることを特徴とする請求項１から６までのいずれかに記載の画像形成装置。
【発明の詳細な説明】
【技術分野】
【０００１】
本発明は、画像形成装置に関する。
【背景技術】
【０００２】
複写機、ファクシミリ、プリンタ等の画像形成装置として、電子写真方式を利用した画像形成装置が種々考案されており公知技術となっている。その画像形成プロセスは、像担持体である感光ドラムの表面に静電潜像を形成し、感光ドラム上の静電潜像を現像剤であるトナー等によって現像して可視像化し、現像された画像を転写装置により記録材（記録媒体、用紙、記録紙ともいう）に転写して画像を担持させ、圧力や熱等を用いる定着装置によって記録材上の未定着トナー像を定着する過程により成立している。
【０００３】
定着装置としては、様々な方式のものが提案されており、定着ローラ（定着部材）と、定着ローラに圧接する加圧ローラ（加圧部材）とを備え、加圧ローラと定着ローラとの圧接によって形成された定着ニップ部（ニップ部ともいう）により、未定着トナー像を担持した記録材を挟持搬送しつつ加熱し、定着させるローラ定着方式が知られている。
【０００４】
また、加圧ローラに対向配置される定着ローラと、定着ローラと加熱ローラとの間に張架される無端状の定着ベルト（定着部材）とを備え、加圧ローラと定着ベルトとの圧接によって形成された定着ニップ部にて、定着ベルトを介して加熱ローラの熱を記録材に与えることで、未定着トナー像を記録材に加圧し、定着させるベルト定着方式が知られている。
【０００５】
また、電子写真方式の画像形成装置では、記録材の搬送不良（ジャム）を検知するために、記録材の搬送経路に、記録材の有無を判定するセンサ（ジャムセンサ）を複数配置している。
【０００６】
そして、搬送経路に設置されたジャムセンサで、搬送中の記録材の有無を判定することにより、記録材が所定のタイミングで所望の搬送経路を通過したかどうかを判断し、ジャムセンサが所定のタイミングで記録材を検知できない場合に、搬送不良の発生を検知している。
【０００７】
このとき、記録材の搬送速度は必ずばらつきを持つので、理想のタイミングから±Ｘｓｅｃ以上のずれが生じた場合のみ搬送不良と判断する等、ある程度のマージンを持たせた制御がされていることが一般的である。
【０００８】
また、近年の画像形成装置は多種多様な記録材に対応するようになってきており、記録材の搬送不良の一例として、定着装置における定着部材（定着ベルト、定着ローラ）へ薄紙（坪量が所定の値以下の記録材をいう）が巻き付いてしまうことによるものがある。一般的に、薄紙は剛度が低いため、画像を定着する工程で定着部材と分離不良を起こし、定着部材に巻き付いてしまうことによるものである。
【０００９】
定着部材に記録材が巻き付いてしまうと、記録材を取り除く作業が生じ、作業者の手間となり、定着部材の破損等も生じる恐れがある。
【００１０】
これを回避するために、定着部材の下流側に配置したジャムセンサに記録材が到達せずに搬送不良と判断するまでの時間を極力短くして、記録材の巻き付きが発生する前に、直ちに定着部材の駆動を停止するような制御方式がとられている。
【００１１】
また、特許文献１には、通紙される用紙の種類を判定する紙種判定手段を備え、この紙種判定手段により判定された用紙が薄紙であるときは、ジャム検出タイミングを早くし、厚紙であるときは遅くする複写装置が開示されている。
【発明の概要】
【発明が解決しようとする課題】
【００１２】
画像形成装置の搬送経路において、搬送ファンおよび搬送ベルトを備えた搬送装置を用い、記録材を吸引しつつ搬送する構成である場合、記録材が厚紙（坪量が所定の値以上の記録材をいう）である場合に、特に搬送速度がばらつきやすい傾向があった。これは、厚紙の場合、剛度が高いため、搬送装置の搬送ベルトへの密着性が弱く、搬送ベルトの搬送力が記録材に伝わりにくいためである。
【００１３】
また、例えば、厚紙の通紙時に、薄紙の場合の定着部材への巻き付き対策として、搬送不良の判断タイミングを早くしていると、問題なく記録材が搬送されたとしても搬送速度のばらつきにより搬送不良と誤判断されてしまうことがあった。
【００１４】
そこで本発明は、搬送ファンと搬送ベルトとを有する搬送装置から、定着装置へ記録材を搬送する際の搬送不良の誤判断を低減することができる画像形成装置を提供することを目的とする。
【課題を解決するための手段】
【００１５】
かかる目的を達成するため、本発明に係る画像形成装置は、搬送ファンと搬送ベルトとを備え、前記搬送ファンにより記録材を吸引しつつ、前記搬送ベルトにて前記記録材を搬送する搬送手段と、前記記録材の搬送方向における前記搬送手段の下流側に設置され、未定着トナー像を前記記録材に定着させる定着手段と、前記記録材の搬送方向における前記定着手段の下流側に設置され、前記記録材の有無を検知することで、搬送不良の発生を検知する搬送不良検出手段と、を備えた画像形成装置において、前記搬送不良検出手段による搬送不良の発生を検知するための、基準となるタイミングからの検知時間について、前記記録材が薄紙であるときの検知時間を検知時間Ａ、前記記録材が厚紙であるときの検知時間を検知時間Ｂとしたとき、検知時間Ａ＜検知時間Ｂとする制御手段と、を備えたものである。
【発明の効果】
【００１６】
本発明によれば、搬送ファンと搬送ベルトとを有する搬送装置から、定着装置へ記録材を搬送する際の搬送不良の誤判断を低減することができる。
【図面の簡単な説明】
【００１７】
【図１】本発明に係る画像形成装置の一実施形態を示す概略構成図である。
【図２】搬送手段と定着手段との構成を示す概略図である。
【発明を実施するための形態】
【００１８】
以下、本発明に係る構成を図１と図２に示す実施の形態に基づいて詳細に説明する。
【００１９】
（画像形成装置）
本実施形態に係る画像形成装置は、搬送ファン（搬送ファン２）と搬送ベルト（搬送ベルト３８）とを備え、搬送ファンにより記録材を吸引しつつ、搬送ベルトにて記録材を搬送する搬送手段（搬送装置１）と、記録材の搬送方向における搬送手段の下流側に設置され、未定着トナー像を記録材に定着させる定着手段（定着装置２０）と、記録材の搬送方向における定着手段の下流側に設置され、記録材の有無を検知することで、搬送不良の発生を検知する搬送不良検出手段（ジャムセンサ７）と、を備えた画像形成装置（画像形成装置１００）において、搬送不良検出手段による搬送不良の発生を検知するための、基準となるタイミングからの検知時間について、記録材が薄紙であるときの検知時間を検知時間Ａ、記録材が厚紙であるときの検知時間を検知時間Ｂとしたとき、検知時間Ａ＜検知時間Ｂとする制御手段（制御手段３５）と、を備えるものである。
【００２０】
本発明に係る画像形成装置の一実施形態について図１を参照して説明する。画像形成装置としては、例えばプリンタ、複写機、ファックス等、トナーを用いて画像形成を行う実施形態が挙げられ、記録材である用紙に形成されたトナー画像（未定着画像）を定着する定着装置を備えるものである。
【００２１】
図１は、本実施形態の画像形成装置１００を示す概略構成図である。本実施形態の画像形成装置１００は、タンデム型中間転写式であり、給紙トレイ４４を有する給紙テーブル２００を下部に備える。
【００２２】
また、画像形成装置１００の内部には、複数の画像形成手段１８Ｙ、１８Ｍ、１８Ｃ、１８Ｋが並設されたタンデム型中間転写式のタンデム型画像形成部１１が設けられている。これらの符号に付けた添え字Ｙ，Ｍ，Ｃ，Ｋは、イエロー、マゼンタ、シアン、ブラックの各色をそれぞれ示している。
【００２３】
画像形成装置１００には、中央付近に無端ベルト状の中間転写体（以下、中間転写ベルト）１０が設けられている。この中間転写ベルト１０は、複数のローラ１４、１５、１５’、１６等に掛け回されて支持され、図１中の時計回りに回転搬送可能である。
【００２４】
図１の構成例では、こうした支持ローラの１つである二次転写対向ローラ１６の中間転写ベルト１０の回転方向下流側に、中間転写ベルト用のクリーニング装置１７を設けている。クリーニング装置１７は画像転写後に中間転写ベルト１０上に残留する残留トナーを除去する。
【００２５】
支持ローラ１４と支持ローラ１５間に張り渡した中間転写ベルト１０の上部には、その搬送方向に沿って、イエロー（Ｙ）、マゼンタ（Ｍ）、シアン（Ｃ）、ブラック（Ｋ）の４つの画像形成手段１８Ｙ，１８Ｍ，１８Ｃ，１８Ｋが配置される。符号は以下、１８（Ｙ，Ｍ，Ｃ，Ｋ）のように略記する。
【００２６】
こうして、４つの画像形成手段１８（Ｙ，Ｍ，Ｃ，Ｋ）が横に並べて配置され、上述のようにタンデム型画像形成部１１を構成する。このタンデム型画像形成部１１の各画像形成手段１８（Ｙ，Ｍ，Ｃ，Ｋ）はそれぞれ、イエロー、マゼンタ、シアン、ブラックの各色のトナー画像を担持する像担持体としての感光体ドラム４０（Ｙ，Ｍ，Ｃ，Ｋ）を有している。
【００２７】
そして、このタンデム型画像形成部１１の上部には、図１に示すように２つの露光装置１２が設けられている。各露光装置１２はそれぞれ２つの画像形成手段（１８Ｙと１８Ｍ、１８Ｃと１８Ｋ）に対応して設けられている。各露光装置１２は、例えば半導体レーザ、半導体レーザアレイ、あるいはマルチビーム光源等の光源装置と、カップリング光学系と、ポリゴンミラー等による共通の光偏向器と、２系統の走査結像光学系等で構成される光走査方式の露光装置である。各露光装置１２は、イエロー、マゼンタ、シアン、ブラックの各色の画像情報に応じて、各感光体ドラム４０（Ｙ，Ｍ，Ｃ，Ｋ）に露光を行い、静電潜像を形成する。
【００２８】
また、各画像形成手段１８（Ｙ，Ｍ，Ｃ，Ｋ）の感光体ドラム４０（Ｙ，Ｍ，Ｃ，Ｋ）の周囲には、次の部材が設けられている。それは露光に先立って各感光体ドラムを均一に帯電する帯電装置と、露光によって形成された静電潜像を各色のトナーで現像する現像装置と、感光体ドラム上の転写残トナーを除去する感光体用クリーニング装置とである。
【００２９】
さらに、各感光体ドラム４０（Ｙ，Ｍ，Ｃ，Ｋ）から中間転写ベルト１０にトナー画像を転写する一次転写位置には、一次転写ローラ６２（Ｙ，Ｍ，Ｃ，Ｋ）が設けられている。一次転写ローラ６２（Ｙ，Ｍ，Ｃ，Ｋ）は、中間転写ベルト１０を間に挟んで各感光体ドラム４０（Ｙ，Ｍ，Ｃ，Ｋ）に対向するように設けられ、一次転写手段の構成要素となる。
【００３０】
中間転写ベルト１０を支持する複数の支持ローラのうち、支持ローラ１４は中間転写ベルト１０を回転駆動する駆動ローラであり、例えばギヤ、プーリ、ベルト等、図示しない駆動伝達機構を介してモータと接続されている。また、ブラックの単色画像を中間転写ベルト１０上に形成する場合には、図示しない移動機構により、この支持ローラ１４以外の支持ローラ１５、１５’を移動させて、感光体ドラム４０（Ｙ，Ｍ，Ｃ）を中間転写ベルト１０から離間させることが可能である。この他、バックアップローラ６３も支持するローラとして設けられている。
【００３１】
中間転写ベルト１０を挟んでタンデム型画像形成部１１と反対の側には、二次転写装置１３を備えている。この二次転写装置１３は、図１の例では、二次転写対向ローラ１６に二次転写ローラ１６’を押し当てて転写電界を印加することで、中間転写ベルト１０上の画像をシート状の記録媒体としての用紙に転写する。
【００３２】
また、二次転写装置１３の横には、用紙上の転写画像を定着する定着装置２０を備える。二次転写装置１３で画像が転写された用紙は、２つのローラ３７に支持された搬送ベルト３８により、定着装置２０へと搬送される。もちろん、搬送ベルト３８の部分は、固定されたガイド部材でも良く、また、搬送ローラや搬送コロ等でも良い。
【００３３】
さらに図１の例では、タンデム型画像形成部１１、二次転写装置１３および定着装置２０の下部に、用紙の両面に画像を記録すべく用紙を反転して搬送するシート反転装置３９を備えている。
【００３４】
また、用紙の搬送はつぎのように行われる。まず、給紙テーブル２００の給紙ローラ４２の１つが選択的に回転され、ペーパバンク４３に多段に設けられた給紙トレイ４４の１つから用紙を繰り出す。その繰り出された用紙は、分離ローラ４５で１枚ずつに分離されて給紙路４６に導入され、搬送ローラ対４７で搬送されるとともに、画像形成装置１００内の給紙路４８に導かれた後、位置決めローラ（レジストローラ）対４９に突き当てられて止められる。
【００３５】
また、手差しトレイ５１を用いる場合には、給紙ローラ５０が回転され、手差しトレイ５１上の用紙が繰り出されるとともに、繰り出された用紙は、分離ローラ５２で１枚ずつ分離された後、手差し給紙路５３に導入され、同様にして位置決めローラ対４９に突き当てられて止められる。
【００３６】
その後、中間転写ベルト１０上のフルカラーのトナー画像形成にタイミングを合わせて位置決めローラ対４９が回転され、中間転写ベルト１０と二次転写ローラ１６’との間の二次転写位置に用紙が送り込まれる。そして、中間転写ベルト１０上のフルカラーのトナー画像が用紙上に一括転写される。
【００３７】
そのトナー画像が転写された用紙は、搬送ベルト３８によって搬送されて定着装置２０へ送り込まれ、その定着装置２０で熱と圧力とが加えられて転写されたトナー画像が定着された後、排出ローラ５６により排紙トレイ５７上に排出されてスタックされる。
【００３８】
両面コピーの場合、片面に画像が定着された用紙は、シート反転装置３９に導入されて反転された後、再び二次転写位置へ導かれ、裏面にも画像が転写され、定着装置２０で定着された後、排出ローラ５６によって排紙トレイ５７上に排出される。
【００３９】
（搬送手段）
図２は、搬送手段である搬送装置１と、定着手段である定着装置２０との構成を示す概略図である。
【００４０】
搬送装置１は、記録材の搬送経路において、二次転写装置１３の下流側であって、定着装置２０の上流側に設けられている。
【００４１】
搬送装置１は、２つのローラ３７に張架された搬送ベルト３８と、搬送ベルト３８の内周側に搬送ファン２を備えている。ローラ３７の１つは駆動ローラであって、駆動ローラを回転させることで、搬送ベルト３８は回動する。
【００４２】
搬送ベルト３８は、複数の孔部が形成された無端状のベルトであって、記録材は、搬送ファン２の回転駆動により、搬送ベルト３８に吸引されつつ搬送される。
【００４３】
なお、本実施形態では、搬送装置１は、定着装置２０の直上流側に設けられているが、記録材の搬送経路において、定着装置２０の上流側であって、検知時間の基準となるタイミングを検知するジャムセンサ（後述する）の下流側に設けられていればよく、設置箇所は図１および図２の例に限られるものではない。
【００４４】
搬送装置１は、記録材に転写された未定着トナー像を崩すことなく定着装置２０へ搬送するために、記録材の裏面（非トナー形成面）を搬送ファン２で吸引しながら、搬送ベルト３８で搬送する。記録材は、搬送ベルト３８と定着装置２０との間に設置された入口ガイド３を通過して定着装置２０のニップ部に案内される。
【００４５】
（定着手段）
定着装置２０は、加熱ローラ２１と、定着ローラ２２と、加熱ローラ２１および定着ローラ２２に張架される定着ベルト２３と、定着ローラ２２を押圧して定着ローラ２２との間にニップ部を形成する加圧ローラ２４と、を有している。また、加熱ローラ２１は、熱源としてのヒータ２５、加圧ローラ２４は、熱源としてのヒータ２６をそれぞれ内部に有している。
【００４６】
定着装置２０は、定着ローラ２２と加圧ローラ２４との圧接によって形成される定着ベルト２３と加圧ローラ２４とのニップ部に未定着トナー像を担持した記録材を通紙して加熱定着を行う。なお、加熱ローラ２１、定着ローラ２２及び加圧ローラ２４は、定着装置２０の図示しない筐体の長手方向に回転可能に軸支され、図示しない各ローラの駆動手段等は、筐体に固定保持されている。
【００４７】
ニップ部を通紙した記録材は、定着ローラ２２側に配置された分離板６によって先端部が分離されて、次工程に排出される。なお、定着ローラ２２側に配置される分離板６は、板状の部材に限られるものではなく、分離爪を用いるようにしてもよい。また、分離板や分離爪等は画像品質への影響から、定着ベルト２３や加圧ローラ２４から微小ギャップを備えた非接触状態とするのが好ましい。
【００４８】
加熱ローラ２１は、例えば、金属材料からなる薄肉の円筒体であって、その円筒体の内部には熱源としてのヒータ２５が固設されている。ヒータ２５としては、例えば、ハロゲンヒータやカーボンヒータ等を用いることができる。また、ヒータ２５の両端部は、定着装置２０の筺体に固定されている。また、ヒータ２５は、加熱ローラ２１を外部から加熱する誘導加熱手段（ＩＨ加熱手段）であっても良い。
【００４９】
ヒータ２５は、装置本体の電源部（交流電源）により出力制御され、このヒータ２５からの輻射熱によって加熱ローラ２１が加熱される。さらに加熱ローラ２１によって加熱された定着ベルト２３の表面から記録媒体Ｐ上の未定着トナー像Ｔに熱が加えられる。ヒータ２５の出力制御は、定着ベルト２３の表面に対向する位置に設けられるサーモパイル等の温度センサによるベルト表面温度の検出結果に基づいてなされる。また、加圧ローラ２４の温度を検出する温度センサや、定着ローラ２２の温度を検出する温度センサ等を設けるとともに、これに基づいてヒータ２５，２６の制御をしてもよい。
【００５０】
定着ベルト２３は、定着ローラ２２と加熱ローラ２１の周囲に掛けまわされ、加熱ローラ２１および定着ローラ２２に密着している。このように構成した定着ベルト２３に、定着ローラ２２に対応する箇所に加圧ローラ２４を押し当てることで、定着ニップ部を構成する。
【００５１】
定着ベルト２３は、例えば、ＰＩ（ポリイミド）樹脂からなる層厚９０μｍのベース層上に、シリコーンゴムなどの弾性層、離型層が順次積層された多層構造の無端ベルトである。
【００５２】
定着ベルト２３の弾性層は、層厚が２００μｍ程度であって、シリコーンゴム、フッ素ゴム、発泡性シリコーンゴム等の弾性材料で形成されている。定着ベルト２３の離型層は、層厚が２０μｍ程度であって、ＰＦＡ（４フッ化エチレンパーフルオロアルキルビニルエーテル共重合体樹脂）、ポリイミド、ポリエーテルイミド、ＰＥＳ（ポリエーテルサルファイド）等で形成されている。定着ベルト２３の表層に離型層を設けることにより、トナー（トナー像）に対する離型性（剥離性）が確保されることになる。
【００５３】
また、定着ベルト２３は、例えば、厚さ９０μｍの耐熱樹脂の無端フィルムであるＰＩベルトで構成され、表層には、ＰＦＡ（４フッ化エチレンパーフルオロアルキルビニルエーテル共重合体樹脂）などのオフセット防止剤がコーティングされている。
【００５４】
定着ローラ２２は、熱源を有しておらず、金属（鉄やアルミ）などの剛性の高い芯材（芯金）を、シリコーンゴムなどの厚い弾性層で覆ったものである。
【００５５】
加圧ローラ２４は、定着ローラ２２と同様に、ＳＵＳ３０４等の芯金上に、フッ素ゴム、シリコーンゴム、発泡性シリコーンゴム等の弾性層が形成されたローラ部材である。また、円筒体の内部には熱源としてのヒータ２６が固設されている。なお、ヒータ２６を有さない構成としても良い。
【００５６】
定着ローラ２２と加圧ローラ２４とは、対向して配置されるゴムローラであり、加圧ローラ２４が定着ベルト２３を介して定着ローラ２２の中心方向に加圧されることにより、加圧ローラ２４と定着ベルト２３との間でニップ部が形成される。
【００５７】
また、制御手段３５は定着装置２０の各種制御を実行するコントローラである。制御手段３５は、例えば、定着ローラ２２を駆動させる駆動手段を制御して、定着ローラ２２を時計回り方向に回転駆動させる。定着ローラ２２の回転により、定着ローラ２２に圧接する加圧ローラ２４および定着ベルト２３が同速で連れ回り回転する。
【００５８】
また、分離板６の位置に、記録材の有無を検知するジャムセンサ７が設置されている。
【００５９】
また、画像形成装置には、定着装置２０に設けられたジャムセンサ７に加え、少なくとも１の記録材の有無を検知する記録材検知センサ８（他のジャムセンサ）が、定着装置２０の上流に設けられている。本実施形態では、記録材検知センサ８は、給紙路４８に設けられているがこれに限られるものではなく、定着装置２０の上流側であればよい。また、複数の記録材検知センサ８を備えていてもよい。
【００６０】
そして、記録材検知センサ８による検知を基準として、所定の検知時間がジャムセンサ７に設定されており、所定の検知時間以内に、ジャムセンサ７にて記録材を検知しない場合に、ジャムと判定される。なお、ジャムセンサ７によるジャムの検知方法は、これに限られるものではなく、基準となるタイミングから所定時間内に記録材を検知したか否かに基づいて、搬送不良を判断するものであればよい。
【００６１】
（制御手段）
次に、制御手段３５によるジャムセンサ７の検知時間の制御について説明する。ここで、図２の破線は薄紙４の搬送姿勢、実線は厚紙５の搬送姿勢を示している。
【００６２】
この画像形成装置１００では、坪量５２．３ｇｓｍ〜３５０ｇｓｍまでの紙厚の記録材を通紙可能となっている。ここで、薄紙は坪量５２．３〜７９．１ｇｓｍ、厚紙は坪量２５６ｇｓｍ以上とする。
【００６３】
なお、制御手段３５が、記録材の薄紙／厚紙、サイズ、紙種などを判断する方法は、特に限られるものではなく、公知の方法によるものであればよい。
【００６４】
ここで、薄紙４、または普通紙などの記録材であれば、搬送ファン２での吸引で搬送ベルト３８の下流まで吸着し、搬送方向に回転する搬送ベルト３８からの搬送力を十分に受け取ることができる。
【００６５】
一方、厚紙５で紙の剛度が高くなると、搬送ベルト３８前後の段差などで記録材と搬送ベルト３８との間に隙間が生じやすく、搬送ファン２での吸引で搬送ベルト３８との密着性を十分に保てずに搬送力が伝わりにくくなる。
【００６６】
また、記録材がコート紙、白板紙である場合や、ハガキサイズ、封筒サイズなどの小サイズ紙である場合も同様の問題が生じる。例えば、コート紙の場合、表面の平滑度が高いため搬送ベルト３８がスリップしやすく、搬送速度がばらつきやすい。また、小サイズ紙になるほど搬送ファン２による吸引面積が狭くなるためより密着性が低下し、搬送速度がばらつきやすい。
【００６７】
また、厚紙であって、かつコート紙（厚紙コート紙という）になると表面が滑りやすく、より搬送力が伝わりにくくなる。さらに、厚紙であって、かつ小サイズ紙（厚紙小サイズ紙）になると搬送ファン２での吸引面積が狭くなるので、同じく搬送ベルト３８との密着性を十分に保てずに搬送力が伝わりにくくなる。
【００６８】
このように、厚紙、コート紙、白板紙、小サイズ紙、厚紙コート紙、厚紙小サイズ紙等の記録材を搬送装置１で搬送する際に、搬送速度がばらつきやすくなってしまう。また、厚紙等の場合は、ジャムが発生しにくいため、検知時間に余裕を持たせることができる。
【００６９】
そこで、本実施形態に係る画像形成装置１００では、制御手段３５は、ジャムセンサ７が搬送不良と判断する検知時間（基準となるタイミングからの時間）を、記録材の厚み、紙種、サイズに応じて、変更するように制御するものである。
【００７０】
制御手段３５は、例えば、以下のような制御をするものである。
【００７１】
（制御例１）
記録材が薄紙であるときの通紙時を検知時間Ａ、記録材が厚紙であるときの通紙時を検知時間Ｂとしたとき、検知時間Ａ＜検知時間Ｂとする。
【００７２】
（制御例２）
記録材が小サイズ紙（ハガキサイズ、封筒サイズなど）であるときの通紙時を検知時間Ｃとしたとき、検知時間Ａ＜検知時間Ｃとする。
【００７３】
（制御例３）
制御例１において、記録材がコート紙または白板紙であるときも、検知時間Ｂとする。
【００７４】
（制御例４）
記録材が普通紙であるときの通紙時を検知時間Ｄとしたとき、検知時間Ａ＜検知時間Ｄ＜検知時間Ｂとする。
【００７５】
（制御例５）
記録材が厚紙コート紙または厚紙小サイズ紙である場合、検知時間Ｂよりも大きい検知時間Ｅとする。なお、これらの制御は、適宜組み合わせて実行される。
【００７６】
以上説明した本実施形態に係る画像形成装置よれば、搬送ファン２と搬送ベルト３８とを有する搬送装置１を備える画像形成装置１００において、上記の制御をすることにより、定着装置２０へ記録材を搬送する際の搬送不良の誤判断を低減することができる。
【００７７】
なお、上述の実施形態は本発明の好適な実施の例ではあるがこれに限定されるものではなく、本発明の要旨を逸脱しない範囲において種々変形実施可能である。
【符号の説明】
【００７８】
１  搬送装置
２  搬送ファン
３  入口ガイド
４  薄紙
５  厚紙
６  分離板
７  ジャムセンサ
８  記録材検知センサ
２０  定着装置
２１  加熱ローラ
２２  定着ローラ
２３  定着ベルト
２４  加圧ローラ
２５  ヒータ
３５  制御手段
３７  駆動ローラ
３８  搬送ベルト
１００  画像形成装置
【先行技術文献】
【特許文献】
【００７９】
【特許文献１】特開平１１-１１６０９９号公報
【図１】
2017021154.tif 000003
【図２】
2017021154.tif 000004